(57)【要約】      （修正有）【課題】インレットゴム等からなる手摺出入口とゴム手摺との間の隙間調整を無くすことにより、作業性を著しく改善することができるマンコンベアの手摺出入口装置を提供する。【解決手段】マンコンベアの手摺出入口部分にインレットゴムが設けられ、インレットゴムと手摺４との間の隙間調整Ｂを、インレットゴムを支える支持金具１９の欄干フレーム５への取り付けにより行うものにおいて、支持金具と手摺との間に配置される手摺出入口取付治具を備え、手摺上に手摺出入口取付治具２４の下面を載置し、かつ手摺出入口取付治具上にインレットゴムを支える支持金具を載置した状態で、支持金具を欄干フレームに固定する。【選択図】図２
2007331854.tif 000002
【特許請求の範囲】
【請求項１】
マンコンベアの手摺出入口部分にインレットゴムが設けられ、前記インレットゴムと手摺との間の隙間調整を、前記インレットゴムを支える支持金具の欄干フレームへの取り付けにより行うマンコンベアの手摺出入口装置において、
前記支持金具と前記手摺との間に配置される手摺出入口取付治具を備え、前記手摺上に前記手摺出入口取付治具の下面を載置し、かつ前記手摺出入口取付治具上に前記インレットゴムを支える前記支持金具を載置した状態で、前記支持金具を前記欄干フレームに固定することを特徴とするマンコンベアの手摺出入口装置。
【請求項２】
手摺出入口取付治具は、両端部の高さ寸法が支持金具と手摺の上面部との寸法となるように製作され、かつ中央部に支持金具を固定するための締結具が挿通できるように抉られた略Ｕ字状を呈することを特徴とする請求項１記載のマンコンベアの手摺出入口装置。  
【請求項３】
手摺出入口取付治具は、中央部の抉り部分の略中央に両端部の高さ寸法よりも短い高さ寸法の突起部を設け、この突起部に取手を取り付けたことを特徴とする請求項２記載のマンコンベアの手摺出入口装置。
【発明の詳細な説明】
【技術分野】
【０００１】
この発明は、マンコンベアの手摺出入口装置に関するものである。
【背景技術】
【０００２】
従来のマンコンベアの手摺出入口装置を図５〜図１０により説明する（例えば、特許文献１参照）。
図中、１はマンコンベアの欄干、２は欄干１の基部、３は乗降口の床板、４は欄干１に設けられて移動するゴム手摺、５は欄干フレーム、６はガラスパネルからなる欄干パネル、７は先端デッキ、８は前面スカート、９は前面スカート８の手摺出入口に設けられたインレットゴム等からなる手摺出入口である。そして、図６に示すように、欄干１の基部２の内部において、インレットゴム等からなる手摺出入口９はバネ座板１０にネジ１１で固定され、バネ座板１０はスイッチ取付板１２にバネ１３及び皿ネジ１４により固定され、スイッチ取付板１２はマンコンベアの主枠１５にボルト１６により固定され、スイッチ取付板１２にはマイクロスイッチ１７が取り付けられている。
ところで、場合によっては、図７に示すように、マンコンベアの外側にコンクリートからなる建物の壁１８がくることがある。この場合、先端デッキ７は、欄干パネル６に対して手前側には手前側先端デッキ７ａがあり、外側には外側先端デッキ７ｂがある。また、インレットゴム９の上辺部には、インレットゴム９を支える支持金具１９が欄干フレーム５を挟んで手前側と外側（壁側）に配置され、欄干フレーム５にネジ２０により固定されている。インレットゴム９は通常ゴム製であり、上辺部には逆Ｌ字形状部があり、その逆Ｌ字形状部分には支持金具１９との滑りを良くするためにプラスチック製の滑り片２１が取り付けられている。また、インレットゴム９とゴム手摺４との間には隙間２２を設けている。
【０００３】
【特許文献１】実開昭５５−１６０３７８号公報
【発明の開示】
【発明が解決しようとする課題】
【０００４】
次に、上記のように構成された従来のマンコンベアの手摺出入口装置の問題点について説明する。
インレットゴム９とゴム手摺４との隙間２２に、いたずら等で子供の手や指が挟まった場合、インレットゴム９が図６の矢印Ａ方向に押され、同時にバネ座板１０もバネ１３により同方向に押され、マイクロスイッチ１７が動作してマンコンベアを停止させていた。インレットゴム９の上辺部には滑り片２１が付いており、支持金具１９との滑りを円滑にして、マイクロスイッチ１７の作動を確実にしている。インレットゴム９の取り付けは、ゴム手摺４とインレットゴム９との隙間２２を均一にするように調整し、隙間２２は通常２〜４ｍｍを確保している。この隙間２２は、子供の手や指の挟まれ及びマンコンベアの運転方向によるゴム手摺４の上下・左右の多少のズレがあり、それらを考慮して設定している。
隙間２２が広すぎると、子供の手や指が入り易くなり安全性を阻害したり、隙間２２が狭すぎると、マンコンベアの運転方向を切り換えた時、インレットゴム９とゴム手摺４が接触し、マイクロスイッチ１７が作動してマンコンベアが停止し、マンコンベアに乗車中の利用者が転倒する恐れがある。したがって、この隙間調整は、重要な据付組立て項目であり、保守項目でもある。
次に、図９、図１０によりインレットゴム９の取付方法について説明する。
インレットゴム等からなる手摺出入口９は成形型で製作しており、製品毎に同形状である。インレットゴム９は支持金具１９に支えられているため、隙間２２の調整は支持金具１９により行っている。図９、図１０はインレットゴム９を取り外した状態を示す。支持金具１９はゴム手摺４を欄干フレーム５に取り付ける前に欄干フレーム５に仮取り付けをする。次にゴム手摺４を欄干フレーム５に嵌める。支持金具１９はゴム手摺４の上面部との寸法Ｂにて取り付ける。この寸法Ｂは前面スカート８側と先端側の２ヶ所で行う。支持金具１９のネジ２０の挿通部分は調整用として長穴２３としている。図示手前側の支持金具１９の取り付けは比較的容易であるが、外側（壁側）はコンクリートからなる建物の壁１８があり狭いため、寸法Ｂの調整が非常に困難であった。特に、前面スカート８寄りの作業はしにくく、ネジ２０を何度も締めたり緩めたり多くの時間を要していた。
【０００５】
この発明は、上述のような課題を解決するためになされたもので、インレットゴム等からなる手摺出入口とゴム手摺との間の隙間調整を無くすことにより、作業性を著しく改善することができるマンコンベアの手摺出入口装置を提供するものである。
【課題を解決するための手段】
【０００６】
この発明に係るマンコンベアの手摺出入口装置においては、マンコンベアの手摺出入口部分にインレットゴムが設けられ、インレットゴムと手摺との間の隙間調整を、インレットゴムを支える支持金具の欄干フレームへの取り付けにより行うものにおいて、支持金具と手摺との間に配置される手摺出入口取付治具を備え、手摺上に手摺出入口取付治具の下面を載置し、かつ手摺出入口取付治具上にインレットゴムを支える支持金具を載置した状態で、支持金具を欄干フレームに固定するものである。
【発明の効果】
【０００７】
この発明によれば、インレットゴム等からなる手摺出入口を支える支持金具が位置する手摺の上部に手摺出入口取付治具を載置し、その治具の上に支持金具を載置することにより寸法による隙間調整を無くしたので、作業性を著しく改善できるという効果がある。
【発明を実施するための最良の形態】
【０００８】
実施の形態１．
図１はこの発明の実施の形態１におけるマンコンベアの手摺出入口装置を示す要部断面図、図２はこの発明の実施の形態１におけるマンコンベアの手摺出入口装置を要部側面図である。なお、図中、従来のものと同一又は相当部分には同一符号が付してある。
【０００９】
図において、２４は金属製のブロック形状であり、両端部の高さ寸法が支持金具１９とゴム手摺４の上面部との寸法Ｂとなるように製作され、かつ中央部に支持金具１９を固定するためのネジ２０が挿通できるように大きく抉られた全体形状がＵ字状を呈する手摺出入口取付治具で、支持金具１９とゴム手摺４との間に配置されるものである。
【００１０】
支持金具１９の欄干フレーム５への仮取り付け、ゴム手摺４を欄干フレーム５に嵌めるまでは従来の場合と同様の方法で行う。そして、ネジ２０を少し緩めて支持金具１９をグラグラの状態にする。
次に、金属製のブロック形状であり、両端部の高さ寸法が支持金具１９とゴム手摺４の上面部との寸法Ｂとなるように製作され、かつ中央部に支持金具１９を固定するためのネジ２０が挿通できるように大きく抉られた全体形状がＵ字状を呈する手摺出入口取付治具２４の下面を、図２に示すように、支持金具１９が位置するゴム手摺４の上面部上に載置する。そして、手摺出入口取付治具２４の両端部上に支持金具１９を載置する。すると、手摺出入口取付治具２４は、その両端部の高さ寸法が支持金具１９とゴム手摺４の上面部との寸法Ｂに確保されているため、そのままネジ２０にて固定すれば良い。
上記の説明では、手前側の支持金具１９にて説明したが、外側（壁側）も同様な方法で行う。この方法で行うと、支持金具１９の調整取り付けが一度で済み、特に外側（壁側）で何度もしていた調整作業が容易になり、しかも取り付け精度の良い状態を得ることができる。
【００１１】
実施の形態２．
図３はこの発明の実施の形態２におけるマンコンベアの手摺出入口装置を示す要部断面図、図４はこの発明の実施の形態２におけるマンコンベアの手摺出入口装置を要部側面図である。なお、図中、従来のものと同一又は相当部分には同一符号が付してある。
【００１２】
図において、２５は金属製のブロック形状であり、両端部の高さ寸法が支持金具１９とゴム手摺４の上面部との寸法Ｂとなるように製作され、かつ中央部の抉り部分の略中央に上記寸法Ｂよりも短い高さ寸法の突起部２６を設け、この突起部２６に取手２７を取り付けた全体形状が横Ｅ字状を呈する手摺出入口取付治具で、支持金具１９とゴム手摺４との間に配置されるものである。
【００１３】
この実施の形態２によれば、手摺出入口取付治具２５に取手２７を設けたので、特に外側（壁側）の手摺出入口取付治具２５の着脱が容易となり、支持金具１９の取付作業性が更に向上するという効果がある。
【図面の簡単な説明】
【００１４】
【図１】この発明の実施の形態１におけるマンコンベアの手摺出入口装置を示す要部断面図である。
【図２】この発明の実施の形態１におけるマンコンベアの手摺出入口装置を要部側面図である。
【図３】この発明の実施の形態２におけるマンコンベアの手摺出入口装置を示す要部断面図である。
【図４】この発明の実施の形態２におけるマンコンベアの手摺出入口装置を要部側面図である。
【図５】従来のマンコンベアの手摺出入口装置を示す概略構成図である。
【図６】従来のマンコンベアの手摺出入口装置を示す側面図である。
【図７】図６のＣ−Ｃ線に沿った断面図である。
【図８】図６のＤ−Ｄ線に沿った断面図である。
【図９】従来のマンコンベアの手摺出入口装置の取付方法を説明する断面図である。
【図１０】従来のマンコンベアの手摺出入口装置の取付方法を説明する側面図である。
【符号の説明】
【００１５】
１  マンコンベアの欄干
２  欄干の基部
３  乗降口の床板
４  ゴム手摺
５  欄干フレーム
６  欄干パネル
７  先端デッキ
８  前面スカート
９  インレットゴム（手摺出入口）
１０  バネ座板
１１  ネジ
１２  スイッチ取付板
１３  バネ
１４  皿ネジ
１５  主枠
１６  ボルト
１７  マイクロスイッチ
１８  建物の壁（コンクリート）
１９  支持金具
２０  ネジ
２１  滑り片
２２  隙間
２３  長穴  
２４、２５  手摺出入口取付用治具
２６  突起部
２７  取手
【図１】
2007331854.tif 000003
【図２】
2007331854.tif 000004
【図３】
2007331854.tif 000005
【図４】
2007331854.tif 000006
【図５】
2007331854.tif 000007
【図６】
2007331854.tif 000008
【図７】
2007331854.tif 000009
【図８】
2007331854.tif 000010
【図９】
2007331854.tif 000011
【図１０】
2007331854.tif 000012